(57)【要約】      （修正有）【課題】１枚のＩＣカードで処理可能な番組数より多くの番組を視聴できる受信装置では、同時視聴／録画する放送の種類（地上デジタル放送またはＢＳ／ＣＳデジタル放送、有料放送または無料放送）および複数枚のＩＣカードの契約形態が異なる場合、必ずしも適切なＩＣカードへのアクセスができないという問題が発生する。上記のような、複数のＩＣカードを使用する際の問題を改善し、３番組以上の同時視聴／録画を行う場合の使い勝手を向上する。【解決手段】複数のＩＣカードへのアクセスを制御する手段を備え、複数のＩＣカードの契約形態が異なる場合に、視聴および／または録画する番組の契約有無に応じてＩＣカードのアクセス先を適宜変更する。【選択図】図９
2011040838.tif 000002
【特許請求の範囲】
【請求項１】
スクランブル処理が施されたデジタル放送を受信する受信部と、
前記受信部で受信したデジタル放送のスクランブルを解除するデスクランブル部と、
デスクランブル処理に使用する複数の限定受信制御部とを備え、
前記受信部で受信するデジタル放送は契約情報を必要とする契約番組と、契約情報を必要としない非契約番組とを含み、
前記複数の限定受信制御部は所定の数の契約番組と非契約番組とをデスクランブル可能な第１の限定受信制御部と所定の数の非契約番組をデスクランブル可能な第２の限定受信制御部とを含み、
前記デスクランブル部におけるデスクランブルを、前記第１の限定受信制御部を用いたデスクランブルから前記第２の限定受信制御部を用いたデスクランブルに切替えることを特徴とする受信装置。
【請求項２】
請求項１の受信装置であって、
前記第１の限定受信制御部が前記所定の数の番組のデスクランブルに用いられている場合に、新たに契約番組をデスクランブルする指示を受けると、前記第１の限定受信制御部を用いたデスクランブルから前記第２の限定受信制御部を用いたデスクランブルへの切替えることを特徴とする受信装置。
【請求項３】
請求項２の受信装置であって、
前記第１の限定受信制御部を用いたデスクランブルから前記第２の限定受信制御部を用いたデスクランブルへの切り替える際に、前記第１の限定受信制御部と前記第２の限定受信制御部との双方にアクセスする状態を有することを特徴とする受信装置。
【発明の詳細な説明】
【技術分野】
【０００１】
技術分野は、デジタル情報を受信する受信装置に関する。
【背景技術】
【０００２】
日本では、地上デジタル放送やＢＳ（Ｂｒｏａｄｃａｓｔ  Ｓａｔｅｌｌｉｔｅ）デジタル放送、ＣＳ（Ｃｏｍｍｕｎｉｃａｔｉｏｎ  Ｓａｔｅｌｌｉｔｅ）デジタル放送などのデジタル放送が現在行われている。デジタル放送にはＭＵＬＴＩ２暗号によるスクランブルが施されており、その視聴には限定受信制御およびデスクランブル処理が必要となる。限定受信方式に関して、特許文献１に示す発明がある。
【０００３】
特許文献１には、「自分あるいは他人の受信装置に関係なく受信装置があれば契約者による番組の視聴ができるようにした衛星放送受信システムを提供すること」ことを課題とし、その解決手段として、「契約者の所有する携帯可能電子機器を受信装置に接続することにより衛星放送の受信を可能にするシステムであって、前記携帯可能電子機器は、契約者の識別情報を記憶する識別情報記憶手段と、契約情報に基づいて前記受信装置に設けられているデスクランブル手段の動作を制御する動作制御手段とを有し、前記受信装置は、識別情報記憶手段から識別情報を読み取る読取手段と、読み取った識別情報と衛星放送に含まれる契約情報との比較に基づいてデスクランブル処理に必要な契約情報の動作制御手段への記憶を制御する・記憶制御手段とを有する」ことが記載されている。
【０００４】
また、現行の各種デジタル放送においては、限定受信方式として、Ｂ−ＣＡＳ（ＢＳ  Ｃｏｎｄｉｔｉｏｎａｌ  Ａｃｃｅｓｓ  Ｓｙｓｔｅｍ）カードと呼ばれる着脱可能なＩＣカードが使用されている。Ｂ−ＣＡＳカードには、地上デジタル放送の受信を目的とした地上デジタル専用カードや、地上デジタル放送およびＢＳデジタル放送およびＣＳデジタル放送の三種類が受信可能な３波共用カードなど、視聴可能な放送形態に応じて複数の種類が存在する。
【０００５】
また、デジタル放送では、特定の事業者との契約によりスクランブルを解除し視聴可能となる有料放送と、そのような契約が不要な無料放送とがある。現状では、ＢＳデジタル放送やＣＳデジタル放送には有料放送の番組があり、地上デジタル放送は無料放送である。そして、有料番組の視聴に関するユーザと事業者との契約は、ＩＣカード（Ｂ−ＣＡＳカード）ごとに行われることもあり、この場合当該ＩＣカード（Ｂ−ＣＡＳカード）を用いた受信装置が有料放送のデスクランブルが可能となる。
【０００６】
このように、視聴する放送の形態（地上デジタル放送またはＢＳ／ＣＳデジタル放送、有料放送または無料放送）によって、必要となるＩＣカードおよびその契約形態が異なる。
【０００７】
また、現在、ＩＣカード（Ｂ−ＣＡＳカード）１枚を用いて２番組の視聴および／または録画を実現する受信装置が製品化されている。
【先行技術文献】
【特許文献】
【０００８】
【特許文献１】特開平４−１３８７３５
【発明の概要】
【発明が解決しようとする課題】
【０００９】
上述の通り、現在、ＩＣカード（Ｂ−ＣＡＳカード）１枚を用いて２番組までデスクランブルする受信装置が製品化されているが、３番組以上の番組を同時に視聴および／または録画する受信装置を実現する場合は、２枚以上ＩＣカード（Ｂ−ＣＡＳカード）を用いることが必要となる。言い換えると、ＩＣカード（Ｂ−ＣＡＳカード）１枚を用いてデスクランブルする番組の数よりも多くの番組をデスクランブルする場合、２枚以上ＩＣカード（Ｂ−ＣＡＳカード）を用いることが必要となる。
【００１０】
例えば３番組を同時に視聴等する場合は２枚、６番組を同時に視聴等する場合は３枚のＩＣカード（Ｂ−ＣＡＳカード）を用いることができる構成にする必要がある。
【００１１】
ここで、複数同時に視聴する放送が全て地上デジタル放送等の無料放送の場合は、同時に視聴等するのに必要な枚数のＩＣカード（Ｂ−ＣＡＳカード）を用いることができるように構成すればよいが、特定の事業者との契約によりスクランブルを解除し視聴可能となる有料放送を視聴できる受信装置を考えた場合、以下の問題点が考えられる。
【００１２】
特定の事業者との契約による有料番組の視聴について、ＩＣカード（Ｂ−ＣＡＳカード）ごとに有料番組の視聴契約をする場合、仮に複数枚のＩＣカード（Ｂ−ＣＡＳカード）を用いる受信装置を持っているユーザと契約する場合であっても、有料番組の視聴契約を行うＩＣカード（Ｂ−ＣＡＳカード）は１枚であると考えられる。なぜならば、複数枚のＩＣカード（Ｂ−ＣＡＳカード）に対して１件分の契約を行うと、複数のＩＣカード（Ｂ−ＣＡＳカード）を用いて複数の受信装置で契約した有料番組の視聴が可能となり、場合によっては１件分の契約で複数の家庭で有料番組の視聴が可能となってしまうからである。
【００１３】
そうすると、複数のＩＣカード（Ｂ−ＣＡＳカード）を用いる受信装置を持っているユーザが有料番組の視聴契約を１件行う場合、その有料番組をデスクランブルできる１枚のカードと、その有料番組をデスクランブルできない他のカードとが１つの受信装置に混在することになる。この場合、有料放送の視聴や録画を行おうとしても、必ずしも適切なＩＣカード（Ｂ−ＣＡＳカード）へのアクセスができないという問題が発生する。
【００１４】
図１を例に説明すると、２枚のＩＣカード（Ｂ−ＣＡＳカード）のうち、１枚のＩＣカード（Ｂ−ＣＡＳカード）は契約済みカード（有料放送視聴可、図１のＩＣカードＡ）、もう１枚のＩＣカードは非契約カード（有料放送視聴不可、図１のＩＣカードＢ）であった場合、契約済みカード（ＩＣカードＡ）へのアクセスが無料番組のデスクランブル処理で占有されているときに新規に有料番組の視聴を希望したとしても、非契約カード（ＩＣカードＢ）では有料放送のデスクランブルはできないため、有料番組を視聴することはできない。
【００１５】
より詳細な具体例を以下に示す。契約済みカード（ＩＣカードＡ）１枚・非契約カード（ＩＣカードＢ）１枚の計２枚のＩＣカードを使用する構成において、１枚で処理可能な番組数が２番組であり、無料放送の視聴や録画を３番組以上同時に行う場合は、契約済みカード（ＩＣカードＡ）および非契約カード（ＩＣカードＢ）の両方を用いて無料放送のデスクランブル処理を行うことになる（図１では３つの番組を同時にデスクランブルしている例）。
【００１６】
その後、非契約カード（ＩＣカードＢ）を用いてデスクランブルしていた無料放送の視聴を停止し、契約済みカード（ＩＣカードＡ）を用いた無料放送のデスクランブル処理を継続すると、契約済みカード（ＩＣカードＡ）を用いて無料放送のデスクランブル処理を継続することとなる。このような状況下で、新規に有料放送を視聴しようとすると、契約済みカード（ＩＣカードＡ）は無料放送のデスクランブルに占有されているため、新たに有料放送を視聴することができないという状況が発生し、ユーザにとっては著しく使い勝手が悪い。
【００１７】
このような問題は、有料放送・無料放送といった契約有無に差異がある場合だけでなく、デスクランブルできる番組が異なる複数種類のＩＣカード（Ｂ−ＣＡＳカード）を用いる場合にも発生しうる。
【課題を解決するための手段】
【００１８】
スクランブル処理が施されたデジタル放送を受信する受信部と、受信部で受信したデジタル放送のスクランブルを解除するデスクランブル部と、デスクランブル処理に使用する第１の限定受信制御部と第２の限定受信制御部とを備え、デスクランブル部におけるデスクランブルを、前記第１の限定受信制御部を用いたデスクランブルから前記第２の限定受信制御部を用いたデスクランブルに切替えるように構成する。
【発明の効果】
【００１９】
上記手段によれば、複数の限定受信制御部（ＩＣカード、Ｂ−ＣＡＳカード等）を用いる受信装置の使い勝手を向上させることができる。例えば、デスクランブル処理できる放送が異なる複数の限定受信制御部が混在する受信装置の使い勝手を向上させることができる。
【図面の簡単な説明】
【００２０】
【図１】複数枚のＩＣカードを使って３番組以上の同時視聴を行う場合の問題点の一例を示す図
【図２】限定受信方式の概念の一例を示す図
【図３】送受信システムの構成の一例を示す図
【図４】送信装置の構成の一例を示す図
【図５】スクランブル制御部の構成の一例を示す図
【図６】受信装置の構成の一例を示す図
【図７】実施例１乃至３における受信装置の構成の一例を示す図
【図８】実施例１乃至２における限定受信制御の処理の一例を示す図
【図９】実施例１における限定受信制御部へのアクセス方法の一例を示す図
【図１０】実施例１乃至３における受信装置の別の構成の一例を示す図
【図１１】実施例２における限定受信制御部へのアクセス方法の一例を示す図
【図１２】実施例１乃至３における限定受信制御の処理の一例を示す図
【発明を実施するための形態】
【００２１】
以下、本発明に好適な実施形態の例（実施例）を説明する。ただし、本発明は本実施例に限定されない。本実施例は、主には日本における放送方式および限定受信方式に関するものである。
【００２２】
放送の形態に応じたＩＣカード種別の分類がある場合、例えば地上デジタル放送専用カードと３波共用カードなどの分類がある場合は、規格などで視聴可能な放送形態が制限されることがある。上記の例では、地上デジタル放送専用カードではＢＳ／ＣＳデジタル放送を視聴することはできない、などのように制限されることがある。
【００２３】
また、１枚のＩＣカードでデスクランブル可能な番組数は、規格などで制限されることがある。
【００２４】
実施例では、放送信号は、画像圧縮技術としてＭＰＥＧ（Ｍｏｖｉｎｇ  Ｐｉｃｔｕｒｅ  Ｅｘｐｅｒｔｓ  Ｇｒｏｕｐ）方式によって符号化され、ＭＰＥＧ２―ＴＳ（Ｔｒａｎｓｐｏｒｔ  Ｓｔｒｅａｍ）方式で多重化された信号を例に挙げて説明する。
【００２５】
図２に限定受信方式の概念図の例を示す。
【００２６】
送信側において、スクランブル鍵Ｋｓによって映像等を含むストリームにスクランブルを施す。スクランブル鍵Ｋｓはワーク鍵Ｋｗにより暗号化され、スクランブルされたストリームに多重化される。また、ワーク鍵Ｋｗはマスター鍵Ｋｍにより暗号化され、スクランブルされたストリームに多重化される。以上のようにして限定受信方式を用いたストリームは生成され、送信される。限定受信のために必要な情報は、すべての視聴者に共通な情報（ＥＣＭ：Ｅｎｔｉｔｌｅｍｅｎｔ Ｃｏｎｔｒｏｌ Ｍｅｓｓａｇｅ）、視聴者ごとに異なる情報（ＥＭＭ：Ｅｎｔｉｔｌｅｍｅｎｔ  Ｍａｎａｇｅｍｅｎｔ  Ｍｅｓｓａｇｅ）に分類され、スクランブル鍵ＫｓはＥＣＭとして、ワーク鍵ＫｗはＥＭＭとしてストリームに多重化される。
【００２７】
受信側において、受信したストリームよりＥＣＭおよびＥＭＭなどの限定受信に必要な情報を分離する。特定の契約が必要な放送の場合は、ＥＭＭをマスター鍵Ｋｍで復号することによりワーク鍵Ｋｗおよび契約情報を得る。特定の契約が不要な放送であれば、限定受信制御を行うデバイスが持つＫｗを得る。ＥＣＭをワーク鍵Ｋｗにより復号することでスクランブル鍵Ｋｓを得る。契約情報に基づく視聴判定を行い、視聴可能であればスクランブル鍵Ｋｓにより、受信したストリームをデスクランブルする。
＜システム＞
図３は、本実施例のシステムの構成例を示すブロック図である。この図は、放送で情報を送受信して表示および記録再生する場合を例示している。
【００２８】
３０１は放送局などの情報提供局に設置される送信装置、３０２は中継局や放送用衛星などに設置される中継装置、３０３はユーザの宅内などに設置される受信装置、３０４は受信装置３０３に内蔵される限定受信システムである。限定受信システム３０４は、デジタル放送に施されるスクランブルを解除（デスクランブル処理）し、視聴および／または録画可能とする仕組みを備える。記録再生部３０５では、限定受信システムでデスクランブルした情報を記録し、再生することができる。出力部３０６は、受信装置３０３がディスプレイなどの出力装置を備える場合はその装置から、備えない場合は別の装置へ情報信号を出力することができる。
【００２９】
送信装置３０１は、中継装置３０２を介して、変調された信号電波を伝送する。例えばケーブルによる伝送、電話線による伝送、地上波放送による伝送などを用いることもできる。受信装置３０３で受信されたこの信号電波は、後に述べるように、限定受信制御方式に基づきデスクランブル処理され、必要に応じ表示出力あるいは記録に適した信号に変換される。また、ユーザは、出力部３０６から出力される映像音声を視聴することができる。
【００３０】
＜送信装置＞
図４は、図３のシステムのうち、送信装置３０１の構成例を示すブロック図である。４０１はソース発生部、４０２はＭＰＥＧ方式等で圧縮を行うエンコード部、４０３はスクランブル部、４０４は変調部、４０５は送信アンテナ、４０６はスクランブル制御部である。カメラ、記録再生装置などからなるソース発生部４０１で発生した映像音声などの情報は、より少ない占有帯域で伝送できるよう、エンコード部４０２でデータ量の圧縮が施される。放送事業者の運用に従って、必要に応じてスクランブル部４０３で、特定の視聴者には視聴可能となるようにスクランブル処理される。変調部４０４で伝送するに適した信号となるよう変調された後、送信アンテナ４０５から、中継装置３０２に向けて電波として送信される。このとき、スクランブル制御部４０６では、スクランブル処理に必要な情報を多重化する。
【００３１】
図５にスクランブル制御部４０６の動作例を示す。
スクランブル制御部４０６では、エンコード部で生成された映像信号、音声信号、および必要に応じて別途入力されるデータ信号に加え、限定受信制御に必要な情報であるＥＣＭ、ＥＭＭをＭＰＥＧ２規格で定められるＴｒａｎｓｐｏｒｔ  Ｓｔｒｅａｍ（ＴＳ）として多重化する。この多重化された信号はスクランブル部４０３によりスクランブルされる。主にスクランブルは、ＭＰＥＧ２規格で定められるＴＳパケットのペイロード部分を対象として施される。なお、一つの電波には複数の情報が、時分割、スペクトル拡散などの方法で多重されることが多いが、その点については説明を割愛する。
＜受信装置＞
図６にデジタル受信装置の構成例を示し、各部の動作について説明する。図６の受信装置６０１において、６０２は放送波を受信するアンテナ、６０３は選局および復調を行うチューナ部、６０４は放送信号のスクランブルを解除するデスクランブラ、６０４は多重された信号から所望する信号を分離する分離部、６０６は映像・音声信号のデコードを行うデコード部、６０７はデコードされた映像・音声信号等を出力する出力部、６０８は受信制御を行う制御部、６０９は限定受信のための契約情報や鍵の管理および制御を行う限定受信制御部である。
【００３２】
アンテナ６０２で受信した放送信号は、チューナ部６０３へ送られ、チューナ部６０３はベースバンド信号に復調すると共にエラー訂正等を施してデスクランブラ６０４へ出力する。デスクランブラ６０４は、限定受信制御部６０９より得られるスクランブル解除鍵によりスクランブルの解除を行う。
【００３３】
例えば日本のデジタル放送では、映像・音声・データなどのコンテンツにスクランブルが施され、番組名などの番組付加情報にはスクランブルが施されておらず、また、限定受信のための限定受信制御信号には暗号化が施されており、前記スクランブルされたコンテンツがスクランブル解除の対象となる。
【００３４】
スクランブル解除された信号は分離部６０５において所望する信号が分離され、映像・音声信号はデコード部６０６へ、番組付加情報や限定受信制御信号は制御部６０８を通して限定受信制御部６０９へ伝送される。映像・音声信号デコード部６０６でデコードされ、出力部６０７によりディスプレイやスピーカ等で表示される。
【００３５】
制御部６０８は、上記のような受信制御を行い、分離部６０５より得た限定受信制御信号を限定受信制御部６０９へ渡し、前記スクランブル解除鍵を限定受信制御部６０９より得てデスクランブラ６０５に設定することで、スクランブルされた放送をスクランブル解除して視聴および／または録画可能とする。
【００３６】
この例の日本におけるデジタル放送の場合、限定受信制御部６０９は着脱可能なＩＣカードであり、限定受信制御信号にはＥＭＭとＥＣＭを用いる。よって、受信装置６０１には、限定受信制御部６０９を接続するスロット（接続部ともいう）を有する。また、以下の実施例では限定受信制御部を複数用いる構成を説明するが、複数の限定受信制御を用いる場合は上記スロットも複数有することとなる。
【００３７】
契約に関する情報であるＥＭＭを取得し、限定受信制御部６０９に通知すると、限定受信制御部６０９が持つマスター鍵Ｋｍで復号され、ワーク鍵Ｋｗが設定される。スクランブルされた番組と共に放送されるスクランブルを解除する情報であるＥＣＭを取得し、限定受信制御部６０９に渡すと、限定受信制御部６０９に設定されたワーク鍵Ｋｗで復号され、スクランブル鍵Ｋｓが得られる。
【００３８】
制御部６０８は、限定受信制御部６０９から前記スクランブル鍵Ｋｓを得、デスクランブラ６０５へ設定する。以上のように、契約情報が限定受信制御部６０９内にあり、その契約情報によって契約している放送のスクランブルを解除するための鍵を得る。
【００３９】
以降、地上デジタル放送などで提供される、特別な視聴契約を行うことなく視聴可能となるＩＣカードを非契約カードと呼び、非契約カードによってデスクランブルすることのできる番組を無料番組と呼ぶ。また、一部のＢＳデジタル放送やＣＳデジタル放送などで提供される、放送波に特別なスクランブル処理を行い、特定の事業者との契約によりスクランブルを解除し視聴可能となるＩＣカードを契約カードと呼び、契約カードによってのみデスクランブルすることのできる番組を有料番組と呼ぶ。
【００４０】
各実施例では、ＩＣカードの数は２枚であり、そのうち契約カードの数は１枚、非契約カードの数は１枚であるとし、また、１枚のＩＣカードで同時にデスクランブル可能な番組数は２番組までであるとし、同時視聴および／または同時録画可能な番組数は３番組までであるとして説明するが、本発明はこれらのＩＣカード等の数や１枚のＩＣカードで同時にデスクランブル可能な番組数、同時視聴および／または同時録画可能な番組数の例に制限されない。
【００４１】
実施例１は、無料番組と有料番組を視聴する場合のカードへのアクセス方法について述べる。
【００４２】
実施例２は、実施例１で述べた無料番組と有料番組を視聴する場合のカードへのアクセス方法の応用例について述べる。
【００４３】
実施例３は、実施例１および／または２で述べた無料番組と有料番組を視聴する場合のカードへのアクセス方法の応用例について述べる。
【００４４】
実施例４は、無料番組のみを視聴する場合のカードへのアクセス方法について述べる。
＜実施例１＞
図７に、２系統の限定受信制御部を備え、同時に３番組の視聴および／または録画が可能な受信装置の構成例を示す。図７の受信装置７０１において、６０２はアンテナ、６０３および６１３はチューナ部ＡおよびＢ、６０４および６１４はスクランブルを解除するデスクランブラＡおよびＢ、６０５および６１５は多重された信号から所望する信号を分離する分離部ＡおよびＢ（例えば、デマルチプレクサなど）、６０６はデコード部（例えば、ＭＰＥＧデコーダなど）、６０７はデコードされた映像・音声信号等を出力する出力部（例えば、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  ＤＩＳＰＬＡＹ  Ｐａｎｅｌ）などを利用した表示部、スピーカ等による音声出力部、または他の表示装置などにアナログあるいはデジタルの映像データ／音声データを出力するＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）出力端子など）、６０８は受信制御を行う制御部、６０９および６１０は限定受信のための契約情報や鍵の管理及び制御を行う限定受信制御部ＡおよびＢ（例えば、ＩＣカード・スマートカードなどと呼ばれる演算処理機能を有するカード類や半導体チップ（ＩＣ、システムＬＳＩ、ＡＳＩＣ、ＦＰＧＡなど）、ＣＰＵなどの演算装置によりソフトウェアとして動作するプログラム、などが用いられる）、６１１は記録のためのデータ管理および制御を行う記録制御部、６１２は番組を記録するための記録媒体（例えばハードディスクドライブ（ＨＤＤ）、半導体メモリ、磁気ディスク、光ディスク、光磁気ディスクなどのランダムアクセスが可能な媒体）、６１６は各放送データをデコード部６０６および／または記録制御部６１１のどちらへ出力するかを選択する経路選択部である。
【００４５】
各部の動作に関しては前述の受信装置６０１と同様であるが、チューナおよびデスクランブラおよび分離部および限定受信制御部が２系統となっている点で異なる。また、この例では、チューナＡ６０３およびデスクランブラＡ６０４および分離部Ａ６０５および限定受信制御部Ａ６０９は１つのチャンネル（番組）を取り扱い、チューナＢ６１３およびデスクランブラＢ６１４および分離部Ｂ１１５および限定受信制御部Ｂ６１０は２つのチャンネル（番組）を同時に取り扱う。また、限定受信制御部Ａ６０９は、地上デジタル放送およびＢＳデジタル放送およびＣＳデジタル放送の有料番組の視聴が可能となる契約情報を保持するものとし（以降、契約情報ｘとする）、一方で、限定受信制御部Ｂ６１０は、地上デジタル放送のみの視聴が可能となる契約情報を保持するものとする（以降、契約情報ｙとする）。制御部６０８は、複数の番組のデスクランブル処理を、限定受信制御部Ａ６０９および限定受信制御部Ｂ６１０のどちらに処理させるか（アクセス先をどちらにするか）を切り替える機能を備える。また、制御部６０８は、限定受信制御部Ａ６０９または限定受信制御部Ｂ６１０のうち、どちらに有料番組を視聴可能な契約情報（契約情報ｘ）を保持しているかを判別することができる。
【００４６】
有料番組の視聴および／または録画を含む場合のデスクランブル動作の一例を図８に示す。この例では、番組ａ、ｂ、ｃは無料番組であり、番組ｄは有料番組であるとする。処理開始後、Ｓ８０１では限定受信制御部Ｂから得られる契約情報ｙに基づき番組ａのデスクランブル処理を行い、Ｓ８０２では限定受信制御部Ａから得られる契約情報ｘに基づき番組ｂのデスクランブル処理を行い、Ｓ８０３では同様に限定受信制御部Ａから得られる契約情報ｘに基づき番組ｃのデスクランブル処理を行う。これらの処理は同時並行で繰り返し行われているものとする。
【００４７】
このときの限定受信制御部のアクセス状況を図９（１）に示す。有料番組および無料番組の視聴が可能な限定受信制御部Ａ（契約情報ｘを保持）では、２系統のデスクランブル情報を提供し、無料番組のみの視聴が可能な限定受信制御部Ｂ（契約情報ｙを保持）では、１系統のデスクランブル情報を提供しているものとする。
【００４８】
このような視聴状態のとき、Ｓ８０４において、番組ａを切り替えて番組ｄを視聴する場合、Ｂ−ＣＡＳカードのアクセスは２系統までという制限により現在アクセス可能な限定受信制御部Ｂでは、有料番組の視聴が可能な契約情報ｘを保持していないため、番組ｄのデスクランブルが行えないこととなる（図９（２））。そこで本実施例では、Ｓ８０４において番組ａを切り替えて番組ｄを視聴する場合、Ｓ８０５へ遷移し、番組ｃの契約情報取得先を限定受信制御部Ｂへ切り替える。番組ｃは無料番組であるので、限定受信制御部Ａでなく限定受信制御部Ｂによってもデスクランブル可能であるためである。Ｓ８０５の後、Ｓ８０６へ遷移し限定受信制御部Ｂから得られる契約情報ｙに基づき番組ｂのデスクランブルを改めて開始する。この処理を経て、有料番組の視聴が可能な契約情報ｘを保持する限定受信制御部Ａへのアクセスが可能となったので、Ｓ８０６からＳ８０７へ遷移し、限定受信制御部Ａから得られる契約情報ｘに基づき番組ｄのデスクランブルを開始する（図９（３））。以上で処理を終了する。
【００４９】
また、図１０に受信装置の別の構成を示す。受信装置１００１は、入力部１００２および出力部１００３を備え、その他の符号は図７の受信装置７０１と同様である。入力部１００２は、チューナからの放送波や、他機器からネットワーク経由で受信する信号を入力信号として扱うことが可能であり、出力部１００３は、他機器へネットワーク経由でデスクランブル後の信号を送出することが可能である。この受信装置１００１においても、上記図８に示すような処理を行うことが可能である。
【００５０】
本実施例では、限定受信制御部へのアクセスを切り替える手段を設けることで、有料番組のデスクランブル時に有料番組の契約情報を保持する限定受信制御部が無料番組によるアクセスで占有されている場合でも、無料番組のみ視聴可能な契約情報を保持する限定受信制御部に無料番組のアクセス先を変更することで、有料番組のデスクランブルが可能になるという効果がある。
【００５１】
また、以上の説明は、ＩＣカードの数は２枚であり、そのうち契約カードの数は１枚、非契約カードの数は１枚であるとし、また、１枚のＩＣカードで同時にデスクランブル可能な番組数は２番組までであるとし、同時視聴および／または同時録画可能な番組数は３番組までであるとして説明したが、これらの数を一般化し、ＩＣカードの数をＮ枚（Ｎ≧２）、そのうち非契約カードの数をＭ枚（０＜Ｍ＜Ｎ）、契約カードの数をＮ−Ｍ枚とし、また、１枚のＩＣカードで同時にデスクランブル可能な番組数はＬ番組までであるとし、同時視聴および／または同時録画可能な番組数はＮ×Ｌ番組までであるとしても同様の効果を得ることが出来る。
【００５２】
なお、上記では限定受信制御部が着脱可能なＩＣカードである場合を説明したが、限定受信制御部は受信装置の内部に含まれるようにしてもよい。また、契約情報等を受信装置内部のメモリに記録しておき、限定受信制御部での処理を受信装置の制御部で行うようにしてもよい。また、限定受信制御部を複数有する構成においては、一部を受信装置内部に含むようにし（限定受信制御部での処理を受信装置の制御部で行うことも含む）、一部を受信装置に着脱可能となるように構成（例えば、限定受信制御部を接続するスロットを設ける）してもよい。
＜実施例２＞
実施例１は、有料番組の契約情報を保持する限定受信制御部が無料番組によるデスクランブル処理のアクセスで占有されている場合でも、無料番組によるデスクランブル処理のアクセス先を、無料番組のみ視聴可能な契約情報を保持する限定受信制御部に変更することで、有料番組のデスクランブルが可能になるものであったが、本実施例では、無料番組のアクセス先変更の際に、ある期間だけ複数の限定受信制御部へのアクセスを行い、変更するアクセス先から正常な応答が得られた後に、変更を有効とする方法を説明する。
【００５３】
本実施例における視聴時のデスクランブル動作の一例を、実施例１同様図８にて説明する。本実施例では、Ｓ８０５において、番組ｃのデスクランブル処理を行うとき、従来アクセスしていた限定受信制御部Ａに加え、限定受信制御部Ｂへも同時にアクセスを始める（図１１（２）’）。その後Ｓ８０６へ遷移し、限定受信制御部Ｂより正常な応答が得られ次第、限定受信制御部Ａへのアクセスを停止する（図１１（３）’）。その後Ｓ８０７へ遷移し、番組ｄのデスクランブルのために限定受信制御部Ａへのアクセスを開始する（図１１（４））。
【００５４】
本実施例では、アクセス先変更に伴い発生し得るデスクランブル不可の期間を排除することができるため、より安定に視聴および／または録画を継続できる。
【００５５】
また、以上の説明は、ＩＣカードの数は２枚であり、そのうち契約カードの数は１枚、非契約カードの数は１枚であるとし、また、１枚のＩＣカードで同時にデスクランブル可能な番組数は２番組までであるとし、同時視聴および／または同時録画可能な番組数は３番組までであるとして説明したが、これらの数を一般化し、ＩＣカードの数をＮ枚（Ｎ≧２）、そのうち非契約カードの数をＭ枚（０＜Ｍ＜Ｎ）、契約カードの数をＮ−Ｍ枚とし、また、１枚のＩＣカードで同時にデスクランブル可能な番組数はＬ番組までであるとし、同時視聴および／または同時録画可能な番組数はＮ×Ｌ番組までであるとしても同様の効果を得ることが出来る。
＜実施例３＞
実施例１はおよび２は、選局している番組を切り替えた場合に、デスクランブル処理のアクセス先を変更するものであったが、番組の契約情報を監視し、連続する２つの番組で契約情報が異なる場合や、１番組の中で部分的に契約情報が変化する場合に、自動的にアクセス先を変更する方法がある。
【００５６】
図７における制御部６０８は、視聴および／または録画する番組の契約情報の要否に従い、限定受信制御部Ａ６０９および限定受信制御部Ｂ６１０のどちらでデスクランブル処理を行わせるかを切り替える。
【００５７】
本実施例では、連続する２つの番組で契約情報が異なる場合や、１番組の中で部分的に契約情報が変化する場合であっても、ユーザ操作によらずアクセス先を切り替えることができるという効果がある。アクセス先変更の方法は実施例２の方法を用いても良い。
【００５８】
また、以上の説明は、ＩＣカードの数は２枚であり、そのうち契約カードの数は１枚、非契約カードの数は１枚であるとし、また、１枚のＩＣカードで同時にデスクランブル可能な番組数は２番組までであるとし、同時視聴および／または同時録画可能な番組数は３番組までであるとして説明したが、これらの数を一般化し、ＩＣカードの数をＮ枚（Ｎ≧２）、そのうち非契約カードの数をＭ枚（０＜Ｍ＜Ｎ）、契約カードの数をＮ−Ｍ枚とし、また、１枚のＩＣカードで同時にデスクランブル可能な番組数はＬ番組までであるとし、同時視聴および／または同時録画可能な番組数はＮ×Ｌ番組までであるとしても同様の効果を得ることが出来る。
＜実施例４＞
本実施例における視聴時のデスクランブル動作の一例を図１２に示す。この例では、番組ａ、ｂ、ｃは全て無料番組であるとする。処理開始後、Ｓ１２０１では限定受信制御部Ｂから得られる契約情報ｙに基づき番組ｂのデスクランブル処理を行い、Ｓ１２０２では同様に限定受信制御部Ｂから得られる契約情報ｙに基づき番組ｃのデスクランブル処理を行う。これらの処理は同時並行で繰り返し行われているものとする。このとき、Ｓ１２０３で、新たに番組ａの視聴を行う場合、Ｓ１２０４へ遷移し限定受信制御部Ａから得られる契約情報ｘに基づき番組ａのデスクランブル処理を開始することとなる。このときには、Ｓ１２０１およびＳ１２０２で示した番組ｂおよびｃのデスクランブルは同時並行で行われており、計３番組のデスクランブルを行っていることとなる。その後、Ｓ１２０５で番組ｂまたはｃの視聴を停止する場合、番組ｂの視聴を停止する場合はＳ１２０６へ、番組ｃの視聴を停止する場合はＳ１２０７へ遷移し、それぞれに対応するデスクランブル処理を停止する。Ｓ１２０６またはＳ１２０７にて限定受信制御部Ｂから得られる契約情報ｙに基づくデスクランブル処理を停止したことにより、契約情報ｙに対し１番組分の空きができる。その後、限定受信制御部Ｂから得られる契約情報ｙに基づく番組ａのデスクランブル処理が可能となるため、Ｓ１２０８にて番組ａの契約情報取得先を限定受信制御部Ｂへ切り替え、Ｓ１２０９へ遷移する。Ｓ１２０９では、限定受信制御部Ｂから得られる契約情報ｙに基づく番組ａのデスクランブルを開始する。以上で処理を終了する。
【００５９】
本実施例では、限定受信制御部へのアクセスを切り替える手段を設けることで、無料番組のデスクランブルを行う際には、可能な限り限定受信制御部Ｂを使用し、有料番組のデスクランブルに必要な契約情報ｘを保持する限定受信制御部Ａを空けておくことができるようになるため、無料番組視聴により限定受信制御部Ａが占有され、その結果有料番組の視聴が不可能になる状況を回避しやすくなるという効果がある。
【００６０】
また、以上の説明は、ＩＣカードの数は２枚であり、そのうち契約カードの数は１枚、非契約カードの数は１枚であるとし、また、１枚のＩＣカードで同時にデスクランブル可能な番組数は２番組までであるとし、同時視聴および／または同時録画可能な番組数は３番組までであるとして説明したが、これらの数を一般化し、ＩＣカードの数をＮ枚（Ｎ≧２）、そのうち非契約カードの数をＭ枚（０＜Ｍ＜Ｎ）、契約カードの数をＮ−Ｍ枚とし、また、１枚のＩＣカードで同時にデスクランブル可能な番組数はＬ番組までであるとし、同時視聴および／または同時録画可能な番組数はＮ×Ｌ番組までであるとしても同様の効果を得ることが出来る。
【００６１】
上記実施例１乃至４に加え、さらに以下のような方法を実施することで、より使い勝手の向上を図ることができる。
＜実施例５＞
本実施例では、複数枚のＩＣカードを用いる場合に、いずれか一枚を代表カードとして定義する。すなわち、受信装置は代表カードＩＤ（カード固有のＩＤ）のみに従い各種の限定受信制御に関連した動作を行う。例えば、特定のデータ放送やＥＭＭメッセージなどの処理を、代表カードによるレスポンスに従ってのみ行うようにする。この方法により、複数枚のＩＣカード使用時において、各ＩＣカードが異なる処理を行うような形態であった場合でも、代表カードのレスポンスに従い常に一貫した動作が可能となり、使い勝手の向上を図ることができる。
【００６２】
また、カードＩＤを表示する場合や、カード情報を取得する場合は、代表カードと代表カード以外を容易に識別できる表示方法や処理方法により処理するようにする。
【００６３】
代表カードの決定方法については、例えば、複数枚のＩＣカードがすべて同じ形態のカード（地上デジタル専用カードまたは３波共用カード）であれば、複数枚のうち任意の１枚とし、複数枚のＩＣカードで異なる種類を混在して使用する場合には、上位互換である３波共用カードの中から任意の１枚とする方法が考えられる。ただし、代表カードの決定方法は、本実施例に限定されない。
＜実施例６＞
本実施例では、複数枚のＩＣカードで異なる形態のカードを混在して使用する場合に、ＩＣカードを挿入するスロットを、視聴可能な放送の種類ごとに分別して設け、その種類に対応したＩＣカードをそれぞれ挿入するようにする。
この方法により、ユーザは複数枚のＩＣカードをどのスロットに挿入すればよいかわかりやすくなり、使い勝手の向上を図ることができる。
【００６４】
ＩＣカード形態の分別の方法は、例えば、『地上デジタル専用カードのスロット』と『３波共用カードのスロット』などを、受信装置本体の各スロット近傍に印刷表示したり、カードスロット部分を赤・青など色によって分別し、どちらのカードをどちらの色のスロットに挿入するかを示す文言を取り扱い説明書等に記載するなどの方法が考えられる。ただし、ＩＣカード形態の分別方法は、本実施例に限定されない。
＜実施例７＞
本実施例では、複数枚のＩＣカードを用いて有料放送を視聴する場合に、有料放送に設定されている仮視聴期間を適切に設定するようにする。例えば、同じ契約形態の有料放送が視聴可能なＩＣカードをＮ枚使用する場合、それぞれのＩＣカードごとに仮視聴期間が存在するため、それらを１枚ずつＮ回使用すると仮視聴期間は見かけ上Ｎ倍になり、放送事業者が意図する仮視聴期間とはならなくなってしまう。
【００６５】
これに対し、例えば、ＩＣカードを制御する限定受信制御部などで、特定の放送の仮視聴期間を管理するための管理情報を保持しておき、同じ契約形態のＩＣカードすべてのアクセスを、上記管理情報に基づき制御することで、仮視聴期間を複数回行使することをできなくする方法が考えられる。この方法により、放送事業者の意図する仮視聴期間を遵守できるようになる効果がある。
＜実施例８＞
本実施例では、ＩＣカードに異常が発生した際に、複数枚のＩＣカードのうちどのカードに異常が発生したかを特定する手段を設けるようにする。例えば、視聴中にいずれかのＩＣカードへのアクセスを行ったタイミングで、正常なレスポンスが得られないと判定された場合にそのＩＣカードのカードＩＤを取得する方法や、任意のタイミングですべてのＩＣカードへ動作確認のためのアクセスを行い、正常なレスポンスが得られないと判定されたＩＣカードのカードＩＤを取得する方法などが考えられる。
【００６６】
本実施例によれば、ＩＣカードを複数枚用いる場合でも、異常のあるＩＣカードを特定できるため、ユーザに通知することで対応を促すことができるので、使い勝手の向上を図ることができる。
＜実施例９＞
本実施例では、ＩＣカードが未挿入の場合や故障した場合などに、適切な表示や通知、あるいは動作制限を行うようにする。複数枚のうちのいずれかのＩＣカードが未挿入または故障した場合、ユーザが所望する動作を実現できない可能性がある。
【００６７】
ＩＣカードが故障した場合は、実施例８のような手法により、故障したカードのカードＩＤを特定し、画面表示などによりユーザに通知する方法が考えられる。また、実施例５で述べたような代表カードを定める場合には、代表カードが未挿入または故障した場合に、特定のデータ放送などを適切に処理できないおそれがあるため、その旨をユーザに通知する。
【００６８】
また、複数枚のＩＣカードを用いる受信装置で、複数枚中何枚かのＩＣカードが未挿入であっても、その構成によっては問題なく動作する可能性がある。このような受信装置では、複数枚中何枚かのＩＣカードを抜き取り、他の機器に転用するなど、放送事業者の意図しない方法で使用されるおそれがある。これに対し、ＩＣカードが未挿入であることを検知した場合に、その受信装置が本来使用可能な機能を制限し、完全な動作とならないよう制限する方法がある。
【００６９】
本実施例によれば、ＩＣカードが未挿入や故障をユーザが認識でき、対応を促すことが出来るので使い勝手の向上を図ることができる。また、ＩＣカードの転用など、放送事業者の意図しない方法での使用を制限する効果もある。
【符号の説明】
【００７０】
３０１    放送装置
３０２    中継装置
３０３    受信装置
３０４    限定受信システム
３０５    記録再生部
３０６    出力部
４０１    ソース発生部
４０２    エンコード部
４０３    スクランブル部
４０４    変調部
４０５    送信アンテナ部
４０６    スクランブル制御部
６０１    受信装置
６０２    アンテナ
６０３    チューナ
６０４    デスクランブラ
６０５    分離部
６０６    デコード部
６０７    出力部
６０８    制御部
６０９    限定受信制御部
６１０    限定受信制御部Ｂ
６１１    記録制御部
６１２    記録媒体
６１３    チューナＢ
６１４    デスクランブラＢ
６１５    分離部Ｂ
７０１    受信装置
１００１  受信装置
１００２  入力部
１００３  出力部
【図１】
2011040838.tif 000003
【図２】
2011040838.tif 000004
【図３】
2011040838.tif 000005
【図４】
2011040838.tif 000006
【図５】
2011040838.tif 000007
【図６】
2011040838.tif 000008
【図７】
2011040838.tif 000009
【図８】
2011040838.tif 000010
【図９】
2011040838.tif 000011
【図１０】
2011040838.tif 000012
【図１１】
2011040838.tif 000013
【図１２】
2011040838.tif 000014